(57)【要約】【課題】  映像表示画面上に音声レベルを表示する機器において、例えば５．１チャンネル等の音声の各チャンネルについて、従来のようにレベルメータで表示したのでは、画面のほとんどが覆われてしまい、視認性が悪くなる。【解決手段】  音声の入力される方向に応じて、周囲の音声レベルを表示するための音声インジケータを画面上に多重して表示する。【選択図】  図１
2008311932.tif 000002
【特許請求の範囲】
【請求項１】
映像信号を入力する映像入力手段と、
複数チャンネルの音声信号を入力する音声入力手段と、
前記音声入力手段から出力された前記複数チャンネルの音声信号のレベルを検出する検出手段と、
前記複数チャンネルに対応するチャンネル表示領域と前記チャンネル表示領域以外の表示領域とを持つ音声インジケータを生成し、前記映像信号と多重して表示手段に表示する表示制御手段とを備え、
前記表示制御手段は、前記チャンネル表示領域の色を、前記検出手段により検出された前記複数チャンネルの音声信号のレベルに応じて、変更し、
前記チャンネル表示領域以外の表示領域の色を、前記検出手段により検出された当該表示領域に隣接する前記チャンネル表示領域に対応するチャンネルの音声信号のレベルに応じて、変更することを特徴とする。
【請求項２】
前記表示制御手段は、前記チャンネル表示領域以外の表示領域の色を、前記検出手段により検出された当該表示領域に隣接する前記チャンネル表示領域に対応するチャンネルの音声信号のレベルと、
前記音声インジケータ上での前記チャンネル表示領域以外の表示領域の位置とに応じて変更することを特徴とする請求項１記載の信号処理装置。
【請求項３】
前記表示制御手段は、前記検出手段により検出されたレベルが高くなるにつれて、赤色に近づくよう前記音声インジケータの色を変えることを特徴とする請求項１または２記載の信号処理装置。
【請求項４】
前記表示制御手段は、操作補助画像を更に生成し、前記音声インジケータの内側なるように前記操作補助画像を配置し、前記映像信号と多重して表示手段に表示することを特徴とする請求項１記載の信号処理装置。
【請求項５】
前記映像入力手段は、被写体の光学像を撮影して前記映像信号を得る撮影手段を含み、
前記音声入力手段は、マイクロフォンと、前記マイクロフォンにより得られた音声信号を前記複数チャンネルの音声信号に変換する処理手段とを含むことを特徴とする請求項１記載の信号処理装置。
【請求項６】
前記音声入力手段は、記録媒体に記録された音声データを再生し、前記音声データを前記複数チャンネルの音声信号に変換する音声再生手段を含み、
前記映像入力手段は、前記記録媒体に記録された映像データを再生し、前記映像信号に変換する映像再生手段を含むことを特徴とする請求項１記載の信号処理装置。
【請求項７】
映像信号を入力する映像入力手段と、
複数チャンネルの音声信号を入力する音声入力手段と、
前記音声入力手段から出力された前記複数チャンネルの音声信号のレベルを検出する検出手段と、
前記複数チャンネルに対応するチャンネル表示領域と前記チャンネル表示領域以外の表示領域とを有する音声インジケータを生成し、前記映像信号と多重して表示手段に表示する表示制御手段とを備え、
前記表示制御手段は、前記チャンネル表示領域の輝度を、前記検出手段により検出された前記複数チャンネルの音声信号のレベルに応じて、変更し、
前記チャンネル表示領域以外の表示領域の輝度を、前記検出手段により検出された当該表示領域に隣接する前記チャンネル表示領域に対応するチャンネルの音声信号のレベルに応じて、変更することを特徴とする信号処理装置。
【請求項８】
映像信号を入力する映像入力ステップと、
複数チャンネルの音声信号を入力する音声入力ステップと、
前記音声入力ステップから出力された前記複数チャンネルの音声信号のレベルを検出する検出ステップと、
前記複数チャンネルに対応するチャンネル表示領域と前記チャンネル表示領域以外の表示領域とを有する音声インジケータを生成し、前記映像信号と多重して表示手段に表示する表示制御ステップとを備え、
前記表示制御ステップは、前記チャンネル表示領域の色を、前記検出手段により検出された前記複数チャンネルの音声信号のレベルに応じて、変更し、
前記チャンネル表示領域以外の表示領域の色を、前記検出手段により検出された当該表示領域に隣接する前記チャンネル表示領域に対応するチャンネルの音声信号のレベルに応じて、変更すること特徴とする信号処理方法。
【請求項９】
前記表示制御ステップは、前記チャンネル表示領域以外の表示領域の色を、前記検出手段により検出された当該表示領域に隣接する前記チャンネル表示領域に対応するチャンネルの音声信号のレベルと、
前記音声インジケータ上での前記チャンネル表示領域以外の表示領域の位置とに応じて変更することを特徴とする請求項８記載の信号処理方法。
【請求項１０】
前記表示制御ステップは、前記検出ステップで検出されたレベルが高くなるにつれて、赤色に近づくよう前記音声インジケータの色を変えることを特徴とする請求項８または９記載の信号処理方法。
【請求項１１】
前記表示制御ステップは、操作補助画像を更に生成し、前記音声インジケータの内側に前記操作補助画像を配置することを特徴とする請求項８記載の信号処理方法。
【請求項１２】
前記映像入力ステップは、被写体の光学像を撮影して前記映像信号を得る撮影ステップを含み、
前記音声入力ステップは、マイクロフォンと、前記マイクロフォンにより得られた音声信号を前記複数チャンネルの音声信号に変換する処理ステップとを含むことを特徴とする請求項８記載の信号処理方法。
【請求項１３】
前記音声入力ステップは、記録媒体に記録された音声データを再生し、前記音声データを前記複数チャンネルの音声信号に変換する音声再生ステップを含み、
前記映像入力ステップは、前記記録媒体に記録された映像データを再生し、前記映像信号に変換する映像再生ステップを含むことを特徴とする請求項８記載の信号処理方法。
【請求項１４】
映像信号を入力する映像入力ステップと、
複数チャンネルの音声信号を入力する音声入力ステップと、
前記音声入力手段から出力された前記複数チャンネルの音声信号のレベルを検出する検出ステップと、
前記複数チャンネルに対応するチャンネル表示領域と前記チャンネル表示領域以外の表示領域とを有する音声インジケータを生成し、前記映像信号と多重して表示手段に表示する表示制御ステップとを備え、
前記表示制御ステップは、前記チャンネル表示領域の輝度を、前記検出手段により検出された前記複数チャンネルの音声信号のレベルに応じて、変更し、
前記チャンネル表示領域以外の表示領域の輝度を、前記検出手段により検出された当該表示領域に隣接する前記チャンネル表示領域に対応するチャンネルの音声信号のレベルに応じて、変更すること特徴とする信号処理方法。
【請求項１５】
請求項８から１４のいずれかに記載の信号処理方法をコンピュータに実行させるためのプログラムコードを含むことを特徴とするプログラム。
【請求項１６】
請求項１５に記載のプログラムを記憶した、コンピュータで読み取り可能な記憶媒体。
【発明の詳細な説明】
【技術分野】
【０００１】
本発明は、信号処理装置に関し、特に映像信号と共に音声信号を処理する装置に関する。
【背景技術】
【０００２】
従来、音声信号を処理する装置としてビデオカメラ等が知られている。ビデオカメラでは、被写体の音声をマイクロフォンによって入力し、映像と共に記録する。これらビデオカメラのなかには、マイクロフォンで集音した音声のレベルをユーザが確認できるように液晶ディスプレイ上にマイクロフォンで集音した音声のレベルメータを表示する機能を有しているものがある。（例えば、特許文献１）。
【０００３】
また、近年のビデオカメラでは、通常の２チャンネルステレオ音声だけではなく、５．１チャンネル等のサラウンド音声を生成し収録することが可能になってきている。
【特許文献１】特開２００５−０２６８８９
【発明の開示】
【発明が解決しようとする課題】
【０００４】
５．１チャンネルの音声の音声レベルを確認するため、従来のように各チャンネルについてレベルメータを表示することが考えられる。しかしながら５．１チャンネルについてレベルメータを表示した場合、画面上の表示領域がレベルメータによって覆われ、被写体画像が見えづらくなるという問題があった。本発明はこの様な問題に鑑みてなされたもので、表示画面の画像の視認性を悪くしてしまう可能性を低減しつつ、周囲の音声のレベルを画面上に表示することができる信号処理装置を提供することを目的とする。
【課題を解決するための手段】
【０００５】
この様な課題を解決するために、本発明の信号処理装置は、映像信号を入力する映像入力手段と、複数チャンネルの音声信号を入力する音声入力手段と、前記音声入力手段から出力された前記複数チャンネルの音声信号のレベルを検出する検出手段と、前記複数チャンネルに対応するチャンネル表示領域と前記チャンネル表示領域以外の表示領域とを持つ音声インジケータを生成し、前記映像信号と多重して表示手段に表示する表示制御手段とを備え、前記表示制御手段は、前記チャンネル表示領域の色を、前記検出手段により検出された前記複数チャンネルの音声信号のレベルに応じて、変更し、前記チャンネル表示領域以外の表示領域の色を、前記検出手段により検出された当該表示領域に隣接する前記チャンネル表示領域に対応するチャンネルの音声信号のレベルに応じて、変更することを特徴とする。
【０００６】
本発明の信号処理方法は、映像信号を入力する映像入力ステップと、
複数チャンネルの音声信号を入力する音声入力ステップと、
前記音声入力ステップから出力された前記複数チャンネルの音声信号のレベルを検出する検出ステップと、
前記複数チャンネルに対応するチャンネル表示領域と前記チャンネル表示領域以外の表示領域とを持つ音声インジケータを生成し、前記映像信号と多重して表示手段に表示する表示制御ステップとを備え、
前記表示制御ステップは、前記チャンネル表示領域の色を、前記検出手段により検出された前記複数チャンネルの音声信号のレベルに応じて、変更し、
前記チャンネル表示領域以外の表示領域の色を、前記検出手段により検出された当該表示領域に隣接する前記チャンネル表示領域に対応するチャンネルの音声信号のレベルに応じて、変更することを特徴とする。
【発明の効果】
【０００７】
本発明によれば、信号処理装置の周囲の音声のレベルについて表示したとしても、表示画面の画像の視認性を悪くしてしまう可能性を低減することができる。
【発明を実施するための最良の形態】
【０００８】
以下、図面を参照して本発明の実施例を詳細に説明する。
【実施例１】
【０００９】
入力されている周囲の音声のレベルをビデオカメラの液晶パネルに表示することができるビデオカメラについて説明する。
【００１０】
図１は、本実施例のビデオカメラのブロック図である。
【００１１】
図１において、１０１はビデオカメラの各種機能に応じて、各ブロックを制御する制御部である。１０２は、外部からの指示をビデオカメラに入力するための操作部である。１０３は、制御部１０１からの制御信号や、操作部１０２からの指示信号等が行き来する制御信号バスである。１０４は、各ブロック間の画像データおよび音声データが行き来する画像／音声データバスである。
【００１２】
１０５は、被写体の光学像を取り込む撮影レンズや、光量を制御する絞り、光学像を電気信号に変換する撮像素子等からなる撮像部である。１０６は、撮像部１０５から得た画像信号を適正な信号レベルにし、デジタルデータに変換し、１フレーム分ずつ記録する等の映像記録方式に必要な処理を行う映像処理部である。
【００１３】
１０７は、音声を取り込むマイクロフォン、取り込んだ音声信号を適正なレベルまで増幅する増幅器等からなる集音部である。集音部１０７は例えば、３つ等の複数の無指向性のマイクエレメントを有している。１０８は、集音部１０７から得た音声信号をデジタルデータに変換し、例えば、３チャンネルのマイクロフォンから得られた音声信号を５．１チャンネルデータに変換する等の音声記録方式に必要な処理を行う音声処理部である。つまり複数チャンネル音声データを生成する音声処理部である。
【００１４】
１０９は、音声処理部１０８に入力される３チャンネルのマイクロフォンから得られた音声の各音声チャンネルの音声レベルを検出し、順次、制御部１０１に送信する音声解析部である。音声解析部１０９は、音声処理部１０８により変換された５．１チャンネルの音声の各チャンネルの音声レベルを検出し、順次、制御部１０１に送信することもできる。また、後述の音声再生処理部１１６により再生された５．１チャンネルの音声の各チャンネルの音声レベルを検出し、順次、制御部１０１に送信することもできる。
【００１５】
１１０は、記録中や音声レベル調整中は、映像処理部１０６から得られた映像データや、音声解析部１０９で検出された各チャンネルの音声データの音声レベルに応じて、音声インジケータを表示する表示部である。表示部１１０は、再生中は後述の映像再生処理部１１４で再生された映像を表示するほか、各種メニューの表示、後述の音声再生処理部１１６で再生された各チャンネルの音声データの音声レベルに応じて音声インジケータを表示することができる。１１１は、表示部１１０の表示を制御するための表示制御部である。表示制御部１１１は、制御部１０１の指示に基づき、音声インジケータを生成するほか、前述の映像データと前述の音声インジケータを多重するための処理を行う。
【００１６】
１１２は、映像処理部１０６から得られた映像データ、音声処理部１０８から得られた音声データ、その他のデータを必要に応じて関連づけて記録するための記録媒体としてのハードディスク（以後、ＨＤＤ）である。１１３は、ＨＤＤ１１２にアクセスし、上記の映像データ、音声データ、その他のデータ等を読み書きするためのアクセス部である。
【００１７】
１１４は、アクセス部１１３によって読み出されたＨＤＤ１１２の映像データを映像記録方式に従って処理し、所定の形態に変換する映像再生処理部である。１１５は、映像再生処理部１１１で再生された映像信号を外部に出力するための映像出力端子である。
【００１８】
１１６は、アクセス部１１３によって読み出されたＨＤＤ１１２の音声データを映像記録方式に従って再生する音声再生処理部である。１１７は、音声再生処理部１１６で再生された音声信号を外部に出力するための音声出力端子である。
【００１９】
１１８は、ＰＣ等の外部機器と通信を行ったり、ＨＤＤ１１２に記録された映像データ、音声データ等を外部機器とやり取したりするためのＵＳＢ端子である。１１９は、ＵＳＢ端子１１８と接続された外部機器とのデータのやり取りを制御するＵＳＢコントローラである。
【００２０】
まず、本実施例のビデオカメラの撮影準備段階の基本的な動作について説明する。ここでは、撮影前準備として、録音する周囲の音声のレベルが大きくなりすぎないように調整を行う例について説明する。
【００２１】
ユーザが操作部１０２を操作し、ビデオカメラの電源を入れ、記録モードを指定する。
【００２２】
記録モードが指定されると、撮像部１０５の撮影レンズにより取り込まれた被写体の光学像は、絞りにより光量を制御され、撮像素子により電気信号に変換される。そして、変換された電気信号は、映像処理部１０６で、適正なレベルに調整され、デジタルデータに変換され、表示や映像記録方式に必要な処理が施される。
【００２３】
また、集音部１０７の３つのマイクロフォンにより集音された３つの音声信号は、増幅器により適正なレベルまで増幅される。そして、これら３つの音声信号は、音声処理部１０８で、デジタルデータに変換され、５．１チャンネルデータに変換する等の音声記録方式に必要な処理が施される。
【００２４】
音声解析部１０９は、この時、音声処理部に入力される３チャンネルマイクロフォンから得られた音声信号の各チャンネルまたは、５．１チャンネルに変換された音声信号の各チャンネルの音声レベルを検出し、順次、制御部１０１に送信する。
【００２５】
制御部１０１は、各チャンネルの音声レベルと、その音声レベルを基に演算した周囲の音声レベルに基づいて、音声インジケータの生成を表示制御部１１１に指示する。
【００２６】
表示制御部１１１は、制御部１０１からの指示に応じて、各チャンネルの音声レベルに応じて算出された周囲の音声レベルに応じて音声インジケータ画像を生成する。この音声インジケータの表示の詳細については後述する。表示制御部１１１は、映像処理部１０６からの映像データと音声インジケータ画像を多重して表示部１１０に表示させる指示をする。表示部１１０は、表示制御部１１１からの指示に基づき、入力された映像信号を表示する。
【００２７】
この時の表示部１１０に表示される音声インジケータについて説明する。図２Ａは、表示部１１０の表示画面上の音声インジケータの説明をするための図である。
【００２８】
２０１は、ビデオカメラの周囲の音声レベルを示すための音声インジケータである。この音声インジケータ２０１は、音声インジケータの上を撮影中の画像の奥行方向、下を画像の手前方向、左を画像の左方向、右を画像の右方向と見立て、周囲の音声の入出力方向と関連するように生成されている。そして、音声インジケータは、入力された複数チャンネルに対応するチャンネル表示領域と、チャンネル表示領域以外の表示領域とを有する。
【００２９】
本実施例では、図２Ｂに示すように、周囲の各方向からの入出力に対応した音声インジケータ上の位置の色を音声レベルに応じて変更するようになっている。図２Ｂにおいて、横軸は音声レベル、縦軸はシンボル色を示している。本実施例では、音声レベルが−４０ｄＢ未満では、シンボル表示を消し、−４０ｄＢから−１２ｄＢではシンボルの色を桃色にし、−１２ｄＢから−６ｄＢではシンボルの色を紅色にし、−６ｄＢ以上ではシンボルの色を赤色にする。本実施例では上記のようにしたが、色はこの色に限られるものではなく、音声レベルに応じて徐々に変色するようにしても良い。ただし、赤色を音声レベルの高い場合、例えば音声が割れてしまうほど高いレベルのシンボルの色とすることは、警告の意味で効果がある。
【００３０】
音声解析部１０９の検出結果が、略左方向からの音声入力と、前右方向からの音声入力とがあった場合について説明する。それぞれの音声が−６ｄＢ以上であるので、図３の様に放射状音声インジケータ２０１が表示される。図３において、３０１は、音声入力方向を示している。図３では、略左側からの音声が−６ｄＢ以上なので、放射状音声インジケータ２０１の左側が赤色になっている。また、前右音声が−６ｄＢ以上なので、放射状音声インジケータ２０１の上右側が赤色になっている。
【００３１】
ここで、ユーザは、周囲の音声を集音すると、略左側の音声と前右の音声のレベルが高いことを表示部１１０に表示された放射状音声インジケータ２０１を確認することにより知ることができる。ユーザは、操作部１０２を操作し、音声レベルが高すぎる略左側の音声と前右の音声を個別に指定し、録音される音声レベルを下げるように指示を出すことができる。この指示に応じて、制御部１０１は、音声処理部１０８のサラウンド処理部に対して、略左側の音声のレベルと前右の音声のレベルを下げるように指示を出す。音声処理部１０８では、制御部１０１の指示に応じて、デフォルトの音声レベル設定よりも、略左側の音声と前右側の音声のレベルを下げてサラウンド処理を行うように設定が変更される。この設定は、電源がＯＦＦされるまで制御部１０１のメモリや音声処理部１０８のメモリに記憶される。また、前側中央チャンネルと前側右チャンネルの音声レベルを下げるように集音部１０７の増幅器の増幅レベルの設定を変更するようにしても良い。
【００３２】
以上の操作を行うことにより、撮影準備段階で録音する音声の音声レベルを事前に調整することができる。
【００３３】
本実施例では、音声レベルに応じて対応する音声インジケータの領域の色を変更するようにしたが、音声レベルに応じて輝度を変更するようにしても良い。例えば、音声レベルが上がるにつれて輝度を上げるようにしても良い。
【００３４】
ここでは、入力方向に応じて音声インジケータの色を変更するようにしている。しかし、本実施例において、音声チャンネルは例えば、５．１チャンネルで録音されることとなっている。音声インジケータ２０１は、５．１チャンネルに対応するチャンネル表示領域と、チャンネル表示領域以外の表示領域とから構成されている。そこで、本実施例では、チャンネル表示領域以外の表示領域に対応する音声レベルについては、隣接するチャンネル表示領域の音声レベルと、チャンネル表示領域以外の表示領域の位置とから算出している。  例えば、５．１チャンネルステレオシステムを用いた場合は、推奨される配置に各チャンネルの音声が出力されるものとして補完する処理を行う際に利用する。これは、マイクから入力された音声に基づいて音声インジケータの色を変えている場合にも同様である。すなわち、隣接するマイクへの入力音声レベルと、音声インジケータ上での位置に応じて、算出する処理を行う。
【００３５】
ここで、５．１チャンネルステレオシステムの推奨される配置とは、例えば、前中央スピーカを基準に、前左、前右スピーカがそれぞれ左右に３０度、後左、後右スピーカが左右に１００度から１２０度の開き角をもって配置するものである。
【００３６】
図４を用いて、例えば５．１サラウンド処理後の各チャンネルの音声レベルを用いて音声出力位置以外の音声のレベルを算出し、その音声レベルをインジケータ上で表示する方法について説明する。図４は、音声インジケータを例えば、１２の領域に分割したものである。ここでは、音声インジケータの４０１〜４０３の位置に対応する音声レベルを算出する例について説明する。音声インジケータの４０１〜４０３の位置に対応する音声レベルは、隣接するチャンネルである、後左チャンネルの音声レベルと後右チャンネルの音声レベルとから算出する。具体的な計算式は以下のとおりである。
【００３７】
後左音声の音声レベルをＳＬ、後右音声の音声レベルをＳＲとすると、
（４０１の位置に対応する音声レベル）
＝（ＳＬ×３／４）＋（ＳＲ×１／４）
（４０２の位置に対応する音声レベル）
＝（ＳＬ×２／４）＋（ＳＲ×２／４）
（４０３の位置に対応する音声レベル）
＝（ＳＬ×１／４）＋（ＳＲ×３／４）
となる。
【００３８】
そして、算出された音声レベルに応じて表示制御手段は、図２（Ｂ）に従い、音声インジケータの４０１〜４０３の位置の色を変更した、インジケータ画像を生成する。
【００３９】
また、この計算式は一例であり、他にも様々な計算方法があることは言うまでもない。また、本実施例では、音声インジケータを１２の領域に分割して説明したが、これに限られるものではなく、いくつに分割しても本発明の目的は達成できる。
【００４０】
次に、記録動作の基本的な動作について説明する。
【００４１】
ユーザが操作部１０２を操作することにより記録動作が開始する。撮像部１０５の撮影レンズにより取り込まれた被写体の光学像は、絞りにより光量を制御され、撮像素子により電気信号に変換される。そして、変換された電気信号は、映像処理部１０６で、適正なレベルに調整され、デジタルデータに変換され、表示や映像記録方式に必要な処理が施される。
【００４２】
また、集音部１０７の３つのマイクロフォンにより集音された３つの音声信号は、増幅器により適正なレベルまで増幅される。そして、これら３つの音声信号は、音声処理部１０８で、デジタルデータに変換され、５．１チャンネルデータに変換する等の音声記録方式に必要な処理が施される。
【００４３】
映像処理部１０６から得られた映像データと音声処理部１０８から得られた音声データは、制御部１０１の指示に基づき結合され、コンテンツデータとしてアクセス部１１３によってＨＤＤ１１２に記録される。
【００４４】
この時、音声解析部１０９は、撮影準備段階同様、入力された音声信号の各チャンネルの音声レベルを検出し、順次、制御部１０１に送信する。
【００４５】
また、表示制御部１１１も、撮影準備段階同様、周囲の音声のレベルに応じて音声インジケータ画像を生成し、音声インジケータ画像を画面上の所定の位置に多重する処理を行う。表示部１１０は、表示制御部１１１からの指示に基づき、入力された映像信号を表示する。
【００４６】
そして、ユーザが操作部１０２を操作し、記録停止を指示すると、映像処理部１０６は、映像処理上の最適な位置で終了させ、またそれに合わせて音声処理部１０８は、音声の処理を終了する。そして、アクセス部１１３は、コンテンツデータの、記録動作を終了する。
【００４７】
次に、ＨＤＤ１１２に記録されたコンテンツデータを再生する際の動作について説明する。
【００４８】
ユーザが操作部１０２を操作し、再生モードを指定する。
【００４９】
再生モードが指定されると、アクセス部１１３はＨＤＤ１１２に記録されたコンテンツデータの一覧を読出し、表示制御部１１１に送信する。表示制御部１１１は、表示部１１０に該コンテンツデータの一覧を表示させる。
【００５０】
ユーザは表示部１１０の表示を確認しながら操作部１０２を操作することにより、再生したいコンテンツデータを選択する。制御部１０１は、ユーザの選択操作に応じて、アクセス部１１３を制御し、ＨＤＤ１１２からコンテンツデータを再生する。
【００５１】
再生されたコンテンツデータは、映像データと音声データとに分離される。映像データは、映像再生処理部１１４に送信され、音声データは、音声再生処理部１１６に送信される。
【００５２】
映像再生処理部１１４は、再生された映像データを映像記録方式に従って再生するための処理を行い、表示制御部１１１及び映像出力端子１１５に送信する。表示制御部１１１は、コンテンツデータの一覧に代えて、指定されたコンテンツデータの映像データを表示部１１０に表示させる。
【００５３】
音声再生処理部１１６は、再生された音声データを５．１チャンネル等の複数のチャンネルの音声情報に変換し、音声出力端子１１７及び内蔵スピーカ等に送信する。
【００５４】
この時、音声解析部１０９は、音声再生処理部１１６から得られた５．１チャンネル音声情報の各チャンネルの音声レベルを検出し、順次、制御部１０１に送信する。制御部１０１は、各チャンネルの音声レベルから、周囲の音声のレベルを算出する。表示制御部１１１は、算出された周囲の音声のレベルに応じて対応する位置の色を変更した音声インジケータを生成し、コンテンツデータの映像データに多重して表示部１１０に表示させる。
【００５５】
このように、周囲の音声のレベルについて、レベルメータではなく、音声レベルに応じてその色を変更する音声インジケータを映像データに多重して表示することにより、多重される映像データの視認性が悪くなる可能性を低減できる。また、再生コンテンツの音声レベルを表示することができるので、例えば各チャンネルの音量の調整を行う際にも映像データの視認性が悪くなる可能性を低減できる。また、周囲の音声レベルについて直感的に知ることができる。
【００５６】
本実施例では、略左側の音声と前右側の音声の音声レベルが高いので、個別に音声レベルが下がるように操作を行ったが、全体の音声入力レベルを下げる操作を行ったり、前後左右のバランスを調整したりする操作も考えられる。このようにすることで、より簡単に録音時の音声レベルの調整を行うことができる。
【００５７】
本実施例の音声入力レベル表示は、撮影準備段階のみ表示を行い、映像記録中には表示をオフにすることも可能である。これによってユーザが必要な時のみレベル表示が行われ、さらに撮影画像の視認性を高めたビデオカメラを実現できる。
【００５８】
本実施例では、サラウンド処理後の音声の音声レベルを画面上に表示をしていた。しかし、サラウンド処理前の例えば、３チャンネルのマイクロフォンから集音された音声の音声レベルを基に周囲の音声レベルを算出しても良い。このようにすることで、マイクロフォンにおける音声レベルを、多重される映像データの視認性が悪くなる可能性を低減しつつ表示することができる。
【００５９】
ここでは、円形の音声インジケータとしたが、図５に示すように角形の音声インジケータでもよい。つまり、環状に配置されたインジケータであれば本発明の目的は達成できる。
【００６０】
また、本実施例のビデオカメラにおいて、表示部１１０が対面撮影用に回転可能なものであれば、表示制御部１１１は表示部１１０の回転に応じて、音声インジケータの表示も反転させても良い。具体的には、例えば撮影画像の上下または左右の表示を切り替えると共に、音声インジケータの表示位置の上下または左右の表示位置を切り替える。このようにすることで、対面撮影での各チャンネルの音声レベルの状態を確認でき、多重される映像データの視認性が悪くなる可能性を低減できる。
【００６１】
また、音声インジケータの内側にビデオカメラの他のキーの意味等を示す操作補助画像を付加してもよい。本実施例の音声インジケータは、周囲の音声を色で表現するものであるため、中央部に他の表示をしたとしても、音声についての表示を妨ないので、親和性において優れている。このようにすることで、撮影者にとって、モニターの視認性を向上させることが可能となる。
【００６２】
（他の実施例）
本発明は、実施例では、音声を集音する機能を有する装置として、ビデオカメラについて説明したが、これ以外の装置でも、映像データを表示しつつ、音声を集音し、音声レベルについて表示をする機能を有する装置であれば適用可能である。また、サラウンド音声を再生する例えばＤＶＤプレイヤーやハードディスクレコーダーにも適用可能である。
【００６３】
また、本発明の目的は、前述した実施形態の機能を実現するソフトウェアのプログラムコードを記録した記憶媒体を、システム或いは装置に供給することによっても、達成されることは言うまでもない。このとき、供給されたシステム或いは装置のコンピュータ（またはＣＰＵやＭＰＵ）は、記憶媒体に格納されたプログラムコードを読み出し実行する。
【００６４】
この場合、記憶媒体から読み出されたプログラムコード自体が前述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、上述のプログラムコードの指示に基づき、コンピュータ上で稼動しているＯＳ（基本システムやオペレーティングシステム）などが処理の一部又は全部を行い、その処理によって前述した実施形態の機能が実現される場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００６８】
【図１】本発明を適用したビデオカメラのブロック図である。
【図２】本発明の音声インジケータについて説明するための図である。
【図３】本発明の音声インジケータと音声入力についての関係を示した図である。
【図４】本発明の音声インジケータ上の位置に対応する音声のレベルを算出することについて説明するための図である。
【図５】本発明の他の実施例の音声シンボルについて説明するための図である。
【符号の説明】
【００６９】
１０１  制御部
１０２  操作部
１０３  制御バス
１０４  画像／音声バス
１０５  撮像部
１０６  映像処理部
１０７  集音部
１０８  音声処理部
１０９  音声解析部
１１０  表示部
１１１  表示制御部
１１２  ハードディスク
１１３  アクセス部
１１４  映像再生処理部
１１５  映像出力端子
１１６  音声再生処理部
１１７  音声出力端子
【図１】
2008311932.tif 000003
【図２】
2008311932.tif 000004
【図３】
2008311932.tif 000005
【図４】
2008311932.tif 000006
【図５】
2008311932.tif 000007